(57)【要約】【課題】折畳み状態にある容器本体に対して安定した被覆状態を得ることのできる蓋部材を備えた蓋付き折畳み容器を提供する。【解決手段】蓋付き折畳み容器１は、平面視略矩形状をなす底壁部５、及び、底壁部５の各側辺部に沿って設けられる土台部６、７を具備する底壁構成部４と、底壁構成部４の各土台部６、７に対して、各土台部６、７の上方に立設される起立位置と、底壁部５の上方に寝かされる寝かせ位置との間を回動変位可能に連結された側壁部８、９とを具備する容器本体２と、容器本体２に被せられる蓋部材３とを備える。蓋部材３は、全ての側壁部８、９が寝かせ位置とされた折畳み状態にある容器本体２に被せられた場合に、長辺側土台部６の上面側に設けられた土台凹部５４に挿入される上段係合凸部６５、及び、寝かせ位置とされた長辺側側壁部８と、長辺側土台部６との間に形成される第１の隙間６６に挿入される下段係合凸部６４を備えている。【選択図】      図８
2019189302.tif 000002
【特許請求の範囲】
【請求項１】
平面視略矩形状をなす底壁部、及び、前記底壁部の各側辺部に沿って設けられる土台部を具備する底壁構成部と、前記底壁構成部の前記各土台部に対して、前記各土台部の上方に立設される起立位置と、前記底壁部の上方に寝かされる寝かせ位置との間を回動変位可能に連結された側壁部とを備え、全ての前記側壁部が前記起立位置とされた組立状態と、全ての前記側壁部が前記寝かせ位置とされた折畳み状態とに状態変化可能な容器本体と、
前記容器本体に被せられる蓋部材とを備える蓋付き折畳み容器において、
前記蓋部材は、前記折畳み状態にある前記容器本体に被せられた場合に、前記土台部の上面側に設けられた凹部、又は、前記寝かせ位置とされた前記側壁部と、当該側壁部が連結されている前記土台部との間の隙間に挿入される挿入凸部を備えていることを特徴とする蓋付き折畳み容器。
【請求項２】
前記土台部は、前記底壁部の相対する一対の側辺部からそれぞれ上方に突出する相対する一対の第１土台部と、前記第１土台部よりも高さが低く構成された相対する一対の第２土台部とを備え、
前記側壁部は、前記各第１土台部にそれぞれ連結される一対の第１側壁部と、前記各第２土台部にそれぞれ連結される一対の第２側壁部とを備え、
前記容器本体を前記組立状態から前記折畳み状態とする場合に、前記一対の第２側壁部を前記寝かせ位置とすることで、前記第１側壁部を前記寝かせ位置とすることが可能な構成において、
前記容器本体の折畳み状態において、前記一対の第１側壁部の高さ位置が互いに同じとなるように構成されるとともに、前記一対の第１側壁部間に隙間が形成され、
前記蓋部材は、前記折畳み状態にある前記容器本体に被せられた場合に、前記寝かせ位置とされた一対の前記第１側壁部間の隙間に挿入される中間側挿入凸部を備えていることを特徴とする請求項１に記載の蓋付き折畳み容器。
【請求項３】
前記中間側挿入凸部は、前記蓋部材が前記折畳み状態にある前記容器本体に被せられた場合に、前記寝かせ位置にある前記一対の第１側壁部の下側を向いている面と上下に対向して、当接、又は、近接する中間側係止突起を備えていることを特徴とする請求項２に記載の蓋付き折畳み容器。
【請求項４】
前記底壁構成部は、前記第２土台部の上面側に設けられ、前記寝かせ位置とされた前記第１側壁部の下側を向いている面と当接して支持する側板支持部を備え、
前記折畳み状態とされた前記容器本体に前記蓋部材を被せた状態において、前記中間側挿入凸部と、前記側板支持部とが近接配置されることを特徴とする請求項２又は３に記載の蓋付き折畳み容器。
【請求項５】
前記組立状態にある前記容器本体に前記蓋部材を被せた場合に、前記蓋部材の前記挿入凸部が、前記容器本体の内側に挿入される構成であって、
前記蓋部材は、前記挿入凸部から前記蓋部材の外周側に突出する外周側係止突起を備え、
前記側壁部は、前記組立状態にある前記容器本体に前記蓋部材を被せた場合に、前記外周側係止突起が挿入される被係止部を備えていることを特徴とする請求項１乃至４のいずれかに記載の蓋付き折畳み容器。
【発明の詳細な説明】
【技術分野】
【０００１】
本発明は、物品の運搬等に使用される蓋付きの折畳み容器に関するものである。
【背景技術】
【０００２】
従来、温度管理を必要とする物品を収容する容器として、発泡合成樹脂により構成された容器が知られている。また、発泡合成樹脂の容器として、上方に開口する箱型の容器本体と、蓋部材とを備えるとともに、物品を収容していない状態における運搬・保管効率の向上を図るべく、容器本体が折畳み可能に構成されているものがある（例えば、特許文献１等参照。）。さらに、蓋部材の下面側には、箱型に組立てられた組立状態にある容器本体の内側に嵌入する嵌入凸部が設けられている。当該嵌入凸部により、組立状態にある容器本体に被せられた蓋部材の水平方向における相対変位が防止されるようになっている。
【先行技術文献】
【特許文献】
【０００３】
【特許文献１】実用新案登録第２６０５９００号公報
【発明の概要】
【発明が解決しようとする課題】
【０００４】
ところで、容器本体を折畳み状態とし、蓋部材を容器本体とセットで運搬・保管等する場合には、折畳み状態にある容器本体の上側に蓋部材を被せることとなる。しかしながら、上記特許文献１の容器に関しては、蓋部材は折畳み状態にある容器本体に載置されるだけとなるため、容器本体に対して蓋部材が水平方向に相対変位し易く、蓋部材が容器本体から脱落するおそれがある。さらには、折畳み状態にある容器本体に対し蓋部材を被せた状態が不安定であることから、かかる状態の容器同士を積み重ねて運搬等することも困難になることが懸念される。また、蓋部材が発泡合成樹脂により構成される場合には、蓋部材が比較的軽量となることから、折畳み状態の容器本体に載せられただけの蓋部材が風圧でも飛ばされてしまうおそれがある。
【０００５】
本発明は、上記例示した問題点等を解決するためになされたものであって、その目的は、折畳み状態にある容器本体に対して安定した被覆状態を得ることのできる蓋部材を備えた蓋付き折畳み容器を提供することにある。
【課題を解決するための手段】
【０００６】
以下、上記目的等を解決するのに適した各手段につき項分けして説明する。なお、必要に応じて対応する手段に特有の作用効果等を付記する。
【０００７】
手段１．平面視略矩形状をなす底壁部、及び、前記底壁部の各側辺部に沿って設けられる土台部を具備する底壁構成部と、前記底壁構成部の前記各土台部に対して、前記各土台部の上方に立設される起立位置と、前記底壁部の上方に寝かされる寝かせ位置との間を回動変位可能に連結された側壁部とを備え、全ての前記側壁部が前記起立位置とされた組立状態と、全ての前記側壁部が前記寝かせ位置とされた折畳み状態とに状態変化可能な容器本体と、
前記容器本体に被せられる蓋部材とを備える蓋付き折畳み容器において、
前記蓋部材は、前記折畳み状態にある前記容器本体に被せられた場合に、前記土台部の上面側に設けられた凹部、又は、前記寝かせ位置とされた前記側壁部と、当該側壁部が連結されている前記土台部との間の隙間に挿入される挿入凸部を備えていることを特徴とする蓋付き折畳み容器。
【０００８】
手段１によれば、折畳み状態にある容器本体に被せられた蓋部材が、容器本体に対して水平方向に相対変位し、容器本体から脱落してしまうといった事態を防止することができる。従って、蓋部材を折畳み状態にある容器本体に被せた状態の安定化を図ることができ、折畳み状態にある容器本体に蓋部材を被せた状態の蓋付き折畳み容器同士を安定して段積みすることができる。結果として、物品を収容していない状態にある蓋付き折畳み容器の運搬・保管効率の向上を図ることができるとともに、容器本体と、蓋部材とをセットで運搬、及び、保管することができることから、利便性の向上等を図ることができる。特に、蓋部材の挿入凸部が挿入される凹部が設けられた土台部、又は、蓋部材の挿入凸部が挿入される隙間が近傍に設けられた土台部との間の蓋部材の位置ずれが効果的に防止されることから、折畳み状態にある容器本体に対する蓋部材の被覆状態を安定化させるといった作用効果がより一層奏される。
【０００９】
尚、「前記蓋部材、及び、前記容器本体の一部、又は、全部は、発泡合成樹脂により構成されていること」としてもよい。この場合、蓋付き折畳み容器の断熱性・保温性が向上する一方で、蓋部材が軽くなり、蓋部材が容器本体から不用意に外れ易くなってしまうことも懸念されるが、上記手段１のように、蓋部材に挿入凸部を設ける構成によってかかる懸念を払拭することができる。
【００１０】
尚、「前記側壁部は、前記土台部に対して回動可能に連結される複数の軸部を備え、前記折畳み状態にある前記容器本体に前記蓋部材を被せた状態において、前記挿入凸部は、前記寝かせ位置とされた前記側壁部と、当該側壁部が連結されている前記土台部の間、かつ、前記複数の軸部の間の隙間に挿入されること」としてもよい。この場合、側壁部の横幅方向における蓋部材の位置ずれについてもより確実に防止することができる。
【００１１】
手段２．前記土台部は、前記底壁部の相対する一対の側辺部からそれぞれ上方に突出する相対する一対の第１土台部と、前記第１土台部よりも高さが低く構成された相対する一対の第２土台部とを備え、
前記側壁部は、前記各第１土台部にそれぞれ連結される一対の第１側壁部と、前記各第２土台部にそれぞれ連結される一対の第２側壁部とを備え、
前記容器本体を前記組立状態から前記折畳み状態とする場合に、前記一対の第２側壁部を前記寝かせ位置とすることで、前記第１側壁部を前記寝かせ位置とすることが可能な構成において、
前記容器本体の折畳み状態において、前記一対の第１側壁部の高さ位置が互いに同じとなるように構成されるとともに、前記一対の第１側壁部間に隙間が形成され、
前記蓋部材は、前記折畳み状態にある前記容器本体に被せられた場合に、前記寝かせ位置とされた一対の前記第１側壁部間の隙間に挿入される中間側挿入凸部を備えていることを特徴とする手段１に記載の蓋付き折畳み容器。
【００１２】
手段２によれば、折畳み状態にある容器本体に被せられた蓋部材が、容器本体に対して水平方向に相対変位し、容器本体から脱落してしまうといった事態をより確実に防止することができる。特に、寝かせ位置とされた一対の第１側壁部の間、すなわち、一対の第１土台部の中間位置において、蓋部材の位置ずれが防止されることとなる。従って、上記手段１の挿入凸部の位置決め効果（第１土台部付近での位置決め）と相俟って、折畳み状態にある容器本体に対する蓋部材の被覆状態を安定化させるといった作用効果を飛躍的に向上させることができる。
【００１３】
尚、「前記蓋部材は、前記組立状態にある前記容器本体の内側に挿入されるとともに、前記起立位置にある前記側壁部の内面と当接、又は、近接する嵌合凸部を備え、前記中間側挿入凸部は、前記嵌合凸部から下方に突出し、前記中間側挿入凸部のうち前記蓋部材の外周側の面は、前記嵌合凸部の外周面と面一とされていること」としてもよい。この場合、組立状態にある容器本体に蓋部材を被せた状態において、中間側挿入凸部が設けられた部位に関しては、嵌合凸部が下方に延長されたような格好で、側壁部の内面と接触する上下幅（掛かり代）をより長く確保することができる。従って、組立状態にある容器本体に被せられた蓋部材の不用意な脱落をより確実に防止することができる。また、組立状態にある容器本体に被せられた蓋部材の下面側に指先を掛けられるようにするべく、蓋部材の下面側の外周部、又は、容器本体の側壁部の外面側の上縁部に対して指掛け用凹部を設ける場合には、蓋部材の周方向において指掛け用凹部の形成範囲内に中間側挿入凸部を設けることとしてもよい。この場合、蓋部材のうち比較的浮き上がり易い部位において蓋部材の脱落を効果的に抑止することができる。
【００１４】
手段３．前記中間側挿入凸部は、前記蓋部材が前記折畳み状態にある前記容器本体に被せられた場合に、前記寝かせ位置にある前記一対の第１側壁部の下側を向いている面と上下に対向して、当接、又は、近接する中間側係止突起を備えていることを特徴とする手段２に記載の蓋付き折畳み容器。
【００１５】
手段３によれば、中間側挿入凸部の中間側係止突起が、寝かせ位置にある第１側壁部の下側を向いている面に略係止状態とされることから、中間側挿入凸部が寝かせ位置にある一対の第１側壁部の間から不用意に抜け出してしまうことを抑止することができる。従って、蓋部材が折畳み状態にある容器本体から脱落してしまうことをより確実に抑止することができる。
【００１６】
手段４．前記底壁構成部は、前記第２土台部の上面側に設けられ、前記寝かせ位置とされた前記第１側壁部の下側を向いている面と当接して支持する側板支持部を備え、
前記折畳み状態とされた前記容器本体に前記蓋部材を被せた状態において、前記中間側挿入凸部と、前記側板支持部とが近接配置されることを特徴とする手段２又は３に記載の蓋付き折畳み容器。
【００１７】
寝かせ位置にある一対の第１側壁部は、第２土台部の上面側に設けられた側板支持部に当接して支持されることから、寝かせ位置にある第１側壁部のうち、側板支持部に支持されている部位の近傍部位は、当該支持されている部位から離れた部位（例えば、第１側壁部の横幅方向中央部）に比べ、下方に押圧された場合に撓み難くなっている。この点、手段４によれば、折畳み状態にある容器本体に被せられた蓋部材の中間側挿入凸部が、容器本体の側板支持部に近接配置されるように構成されている。従って、中間側挿入凸部を寝かせ位置にある一対の第１側壁部の間の隙間に挿入させる際に、例えば、中間側挿入凸部が、寝かせ位置にある第１側壁部の上方を向いている面に接触したり、一対の第１側壁部のうち互いに対向している面に摺接したりしても、第１側壁部が下方に逃げるような変形はほぼなく、中間側挿入凸部を比較的スムースに挿入することができる。さらに、寝かせ位置にある第１側壁部が蓋部材の中間側挿入凸部に押圧されることで変形してしまい、これに起因して第１側壁部が損傷してしまうといった事態を抑止することができる。
【００１８】
手段５．前記組立状態にある前記容器本体に前記蓋部材を被せた場合に、前記蓋部材の前記挿入凸部が、前記容器本体の内側に挿入される構成であって、
前記蓋部材は、前記挿入凸部から前記蓋部材の外周側に突出する外周側係止突起を備え、
前記側壁部は、前記組立状態にある前記容器本体に前記蓋部材を被せた場合に、前記外周側係止突起が挿入される被係止部を備えていることを特徴とする手段１乃至４のいずれかに記載の蓋付き折畳み容器。
【００１９】
手段５によれば、蓋部材の外周側係止突起が、組立状態にある容器本体の側壁部に設けられた被係止部に略係止状態とされることから、蓋部材が組立状態にある容器本体から不用意に脱落してしまうことをより確実に防止することができる。
【図面の簡単な説明】
【００２０】
【図１】組立状態にある容器本体を含む蓋付き折畳み容器の斜視図である。
【図２】折畳み状態にある容器本体を含む蓋付き折畳み容器の斜視図である。
【図３】組立状態にある容器本体の斜視図である。
【図４】折畳み状態にある容器本体の斜視図である。
【図５】蓋部材の上面側を示す斜視図である。
【図６】蓋部材の下面側を示す斜視図である。
【図７】組立状態にある容器本体を含む蓋付き折畳み容器の一部断面を含む斜視図である。
【図８】折畳み状態にある容器本体を含む蓋付き折畳み容器の一部断面を含む斜視図である。
【図９】一部断面を含む蓋部材の斜視図である。
【図１０】折畳み状態にある容器本体の部分拡大平面図である。
【図１１】折畳み状態にある容器本体に蓋部材を被せた場合の上段係合凸部の配置を説明するための部分拡大断面図である。
【図１２】折畳み状態にある容器本体に蓋部材を被せた場合の下段係合凸部、及び、中央側挿入凸部の配置を説明するための部分拡大断面図である。
【図１３】組立状態にある容器本体を含む蓋付き折畳み容器の一部断面を含む斜視図である。
【図１４】折畳み状態にある容器本体を含む蓋付き折畳み容器の一部断面を含む斜視図である。
【発明を実施するための形態】
【００２１】
以下に、一実施形態について図面を参照して説明する。図１、図３等に示すように、蓋付き折畳み容器１は、上方に開口する箱状に組立可能な容器本体２と、容器本体２に被せられる蓋部材３とを備えている。図３、図７、図１３等に示すように、容器本体２は、平面視略矩形状をなす底壁部５と、底壁部５の各長辺部に沿って底壁部５からそれぞれ上方に突出する長辺側土台部６と、底壁部５の各短辺部に沿って底壁部５からそれぞれ上方に突出する短辺側土台部７とを具備する底壁構成部４を備えている。さらに、容器本体２は、各長辺側土台部６に対してそれぞれ回動可能に連結された長辺側側壁部８と、各短辺側土台部７に対してそれぞれ回動可能に連結された短辺側側壁部９とを備えている。尚、本実施形態では、長辺側土台部６が第１土台部に相当し、短辺側土台部７が第２土台部に相当し、長辺側側壁部８が第１側壁部に相当し、短辺側土台部７が第２側壁部に相当する。
【００２２】
長辺側側壁部８、及び、短辺側側壁部９は、図３等に示すように、それぞれ長辺側土台部６、及び、短辺側土台部７の上方に立設される起立位置と、図４等に示すように、底壁部５の中央部側に寝かされて、当該底壁部５とほぼ平行して延在する寝かせ位置との間を回動変位可能に構成されている。また、図４、図７等に示すように、長辺側土台部６の底壁部５からの突出長は、短辺側土台部７の底壁部５からの突出長よりも長くなっており、長辺側側壁部８を回動可能に支持するための長辺側軸受部１０の形成位置も、短辺側側壁部９を回動可能に支持するための短辺側軸受部１１の形成位置よりも上方に位置している。さらに、長辺側側壁部８の横幅は、底壁構成部４の長手幅と同じに構成されている。加えて、各短辺側土台部７は、相対する一対の長辺側土台部６の内面同士を連結するようにして設けられ、短辺側側壁部９の横幅は、一対の長辺側土台部６間の距離とほぼ同じに構成されている。
【００２３】
このため、本実施形態では、全ての長辺側側壁部８、及び、短辺側側壁部９が起立位置とされた組立状態（図３参照）にある容器本体２を、全ての長辺側側壁部８、及び、短辺側側壁部９が寝かせ位置とされた折畳み状態（図４参照）とする場合には、一対の短辺側側壁部９を先に寝かせ位置へと変位させない限り、長辺側側壁部８を寝かせ位置側に変位させることが不可能になっている。そして、図４、図８に示すように、容器本体２が折畳み状態とされた場合には、寝かせ位置とされた短辺側側壁部９が底壁部５の上方に重なる（対面する）とともに、寝かせ位置とされた長辺側側壁部８が短辺側側壁部９の上方に重なるようになっている。
【００２４】
尚、図１４に示すように、一対の短辺側土台部７間の距離は、短辺側側壁部９の上下幅の２倍の長さよりも長くなっている。このため、寝かせ位置とされた一対の短辺側側壁部９の高さが揃うようになっている。さらに、図８に示すように、一対の長辺側土台部６間の距離は、長辺側側壁部８の上下幅の２倍の長さよりも若干長くなっている。このため、寝かせ位置とされた一対の長辺側側壁部８の高さが揃うようになっている。また、図４に示すように、長辺側土台部６の上辺部（上面）は、寝かせ位置にある長辺側側壁部８よりも上方に位置している。
【００２５】
また、図７、図１３等に示すように、本実施形態の底壁構成部４は、非発泡（ソリッド）のポリプロピレンにより構成される底壁本体１２と、発泡ポリプロピレンにより構成され、底壁本体１２に装着される底壁断熱部材１３とを備えている。さらに、長辺側側壁部８、及び、短辺側側壁部９は、非発泡のポリプロピレンにより構成される長辺側側壁本体１４、及び、短辺側側壁本体１６と、発泡ポリプロピレンにより構成され、長辺側側壁本体１４、及び、短辺側側壁本体１６にそれぞれ装着される長辺側側壁断熱部材１５、及び、短辺側側壁断熱部材１７とを備えている。
【００２６】
また、図３、図７、図１３等に示すように、各長辺側側壁部８の長辺側側壁本体１４は、組立状態における容器本体２の外面（外周面の一部）を構成する略平板状の長辺側ベース板２１と、長辺側ベース板２１の上辺部に沿って、長辺側ベース板２１から内方（組立状態にある容器本体２の内周側）に突出して設けられる長辺側上枠部２２と、長辺側ベース板２１の下辺部から内方に突出する長辺側下辺リブ２３と、長辺側下辺リブ２３の下面から下方に突出し、長辺側軸受部１０に軸支される略Ｔ字状の軸部としての長辺側ヒンジ部２４（図１０参照）と、長辺側ベース板２１の側辺部から内方に突出する左右一対の長辺側側辺リブ２５（図３参照）と、長辺側側辺リブ２５の先端から側方に突出する長辺側サイドリブ２６とを備えている。
【００２７】
図３に示すように、長辺側上枠部２２は、長辺側ベース板２１の上辺部から内方に突出する長辺側上辺リブ２２ａと、長辺側上辺リブ２２ａから下方に所定距離を隔てて設けられた長辺側上枠下段リブ２２ｂとを備えている。長辺側上辺リブ２２ａは、長辺側側壁部８の横幅方向の一端部近傍から他端部近傍にかけて内方側の部位が切欠かれており、長辺側上枠下段リブ２２ｂの大部分が上方に露出するようになっている。さらに、長辺側上辺リブ２２ａの下面と、長辺側上枠下段リブ２２ｂの上面との間を連結する長辺側上枠補強リブ２２ｃが設けられている。本実施形態では、長辺側上枠下段リブ２２ｂ、長辺側下辺リブ２３、及び、長辺側側辺リブ２５の長辺側ベース板２１からの突出長は同じとなっている。また、長辺側ヒンジ部２４の内面側は、長辺側上枠下段リブ２２ｂ、長辺側下辺リブ２３、及び、長辺側側辺リブ２５の内側端縁等と面一とされているが、外面側は、長辺側ベース板２１の外面よりも内方にずれて配置されている。
【００２８】
また、図３、図１３等に示すように、本実施形態の長辺側側壁本体１４の内面側には、長辺側側壁断熱部材１５を収容する長辺側側壁断熱収容部２７が設けられている。本実施形態では、長辺側ベース板２１の内面側であって、長辺側上枠部２２（長辺側上枠下段リブ２２ｂ）と、長辺側下辺リブ２３と、左右一対の長辺側側辺リブ２５とで囲まれる領域が、長辺側側壁断熱収容部２７として構成されている。
【００２９】
加えて、長辺側側壁本体１４には、長辺側サイドリブ２６の内面の側部から突出する係合壁２８が設けられている。各係合壁２８には、長辺側側壁部８の横幅方向に貫通する係合孔部２９が設けられている。また、各長辺側側辺リブ２５と、長辺側上枠下段リブ２２ｂとの境界部には、各長辺側側辺リブ２５の先端部から長辺側側壁部８の横幅方向中央部側に延出し、長辺側上枠下段リブ２２ｂの先端部に連結される内壁部３０が設けられている。各内壁部３０は、長辺側ベース板２１と略平行して延び、長辺側サイドリブ２６と面一とされている。
【００３０】
さらに、長辺側側壁本体１４には、各内壁部３０から隣接する長辺側サイドリブ２６にかけての範囲において、内壁部３０、及び、長辺側サイドリブ２６に対して略コ字状のスリットが形成されることによって、当該スリットで囲まれた部位により構成された弾性片３２と、弾性片３２の先端部から内方に突出する係止突部３３とを備える弾性係止片３１が設けられている。各弾性片３２は、長辺側側壁部８の横幅方向中央部側が内壁部３０と連結されており、長辺側側壁部８の厚み方向において弾性変形可能に構成されている。
【００３１】
図３に示すように、各短辺側側壁部９は、組立状態における容器本体２の外面（外周面の一部）を構成する略平板状の短辺側ベース板４１と、短辺側ベース板４１の上辺部に沿って、短辺側ベース板４１から内方に突出して設けられる短辺側上枠部４２と、短辺側ベース板４１の下辺部から内方に突出する短辺側下辺リブ４３と、短辺側下辺リブ４３の下面から下方に突出し、短辺側軸受部１１に軸支される略Ｔ字状の軸部としての短辺側ヒンジ部４４（図４、図１４参照）と、短辺側ベース板４１の側辺部から内方に突出する左右一対の短辺側側辺リブ４５と、短辺側側辺リブ４５の先端から側方に突出する短辺側サイドリブ４６とを備えている。
【００３２】
短辺側上枠部４２は、短辺側ベース板４１の上辺部から内方に突出する短辺側上辺リブ４２ａと、短辺側上辺リブ４２ａから下方に所定距離を隔てて設けられた短辺側上枠下段リブ４２ｂとを備えている。さらに、短辺側上辺リブ４２ａの下面と、長辺側上枠下段リブ２２ｂの上面との間を連結する短辺側上枠補強リブ４２ｃが設けられている。本実施形態では、短辺側上枠部４２、短辺側下辺リブ４３、及び、短辺側側辺リブ４５の短辺側ベース板４１からの突出長は同じとなっている。
【００３３】
また、図３、図７等に示すように、本実施形態の短辺側側壁部９の内面側には、短辺側側壁断熱部材１７を収容する短辺側側壁断熱収容部４７が設けられている。本実施形態では、短辺側ベース板４１の内面側であって、短辺側上枠部４２（短辺側上枠下段リブ４２ｂ）と、短辺側下辺リブ４３と、左右一対の短辺側側辺リブ４５とで囲まれる領域が、短辺側側壁断熱収容部４７として構成されている。
【００３４】
また、図３に示すように、短辺側側壁部９には、短辺側サイドリブ４６の外面側から外方に突出する係合突部４８が設けられている。そして、長辺側側壁部８を起立位置とさせた後、短辺側側壁部９を起立位置とさせることで、係合突部４８が、長辺側側壁部８の係合壁２８の係合孔部２９に挿入されるとともに、係合突部４８の周辺部が、係合壁２８に当接、又は、近接するようになっている。当該構成により、起立位置にある短辺側側壁部９の外方への傾倒変位が防止されるとともに、長辺側側壁部８と、短辺側側壁部９との間の上下方向における位置ずれが防止されるようになっている。
【００３５】
さらに、短辺側側壁部９が起立位置とされる直前に、短辺側側壁部９の外面の側辺部が長辺側側壁部８の弾性係止片３１の係止突部３３と接触する。このとき、弾性係止片３１の弾性片３２が外方に弾性変形することにより、短辺側側壁部９をそのまま起立位置へと変位させることができるようになっている。そして、短辺側側壁部９が係止突部３３を越えて起立位置へと変位することで、弾性係止片３１が自身の弾性力で元の姿勢に復帰し、係止突部３３が短辺側側壁部９（短辺側サイドリブ４６）の内面に当接、又は、近接するようになっている。当該構成により、起立位置にある短辺側側壁部９の内方への傾倒変位が防止されるようになっている。
【００３６】
図７、図１３等に示すように、底壁構成部４に装着される底壁断熱部材１３は、底壁部５の上面側に装着される底壁対応部５１と、長辺側土台部６の内面側に装着される土台対応部５２とを備え、底壁対応部５１と、土台対応部５２とが一体的に形成されている。また、各長辺側土台部６には、上方、及び、内方（底壁構成部４の内周側）に開口し、長辺側土台部６の厚み方向において土台対応部５２を収容する土台断熱収容部５３が設けられている。図４、図１３に示すように、本実施形態の各長辺側土台部６には、長辺側土台部６の長手方向において互いに所定距離を隔てつつ５箇所に長辺側軸受部１０が設けられており、各長辺側軸受部１０の両側方位置に（各長辺側土台部６の６箇所に）土台断熱収容部５３が設けられている。そして、底壁対応部５１を底壁部５の上方、かつ、長辺側土台部６、及び、短辺側土台部７で囲まれる領域に設置するとともに、土台対応部５２を土台断熱収容部５３に収容させることで、底壁断熱部材１３が底壁対応部５１に装着されている。
【００３７】
図４等に示すように、土台断熱収容部５３に収容された土台対応部５２の上面は、土台断熱収容部５３（長辺側土台部６）の上端部よりも下方に位置している。これにより、長辺側土台部６には、土台断熱収容部５３の上部において、上方、及び、内方に開口する土台凹部５４が形成されている。尚、図１３等に示すように、長辺側側壁部８には、長辺側ヒンジ部２４間に長辺側下辺リブ２３を下方に膨出させるような格好で形成され、起立位置とされることで土台凹部５４に挿入される拡張部５５が設けられ、拡張部５５の内側にも長辺側側壁断熱部材１５が装着されている。
【００３８】
また、図７に示すように、底壁部５は、組立状態にある容器本体２同士を積み重ねた（段積みした）場合に、下側の容器本体２の側壁部８、９の上辺部（長辺側上辺リブ２２ａ、短辺側上辺リブ４２ａ）に当接して支持される外周支持部５６と、外周支持部５６の内周側に位置して、外周支持部５６よりも一段低く構成され、容器本体２を床面に設置した場合に床面に当接して支持される内周支持部５７とを備えている。内周支持部５７は、組立状態にある容器本体２を段積みした場合に、下側の容器本体２の内側に挿入されるとともに、当該下側の容器本体２の側壁部８、９の内面（長辺側上枠部２２、及び、短辺側上枠部４２の内側端縁等）に当接、又は、近接するように構成されている。
【００３９】
さらに、図４、図１４等に示すように、底壁構成部４は、短辺側土台部７から上方に突出して設けられ、寝かせ位置とされた長辺側側壁部８の係合壁２８（下側を向いている面）と当接して支持する側板支持部５８を備えている。尚、上記のように、寝かせ位置とされた長辺側側壁部８は底壁部５とほぼ平行して延び、寝かせ位置とされた長辺側側壁部８は、長辺側土台部６の上辺部よりも下方に位置する。
【００４０】
さて、図５、図６、図７、図１３等に示すように、蓋部材３は、略矩形板状の天板部６１と、天板部６１の下面のうち蓋部材３を組立状態にある容器本体２に被せた場合に容器本体２の側壁部８、９の上辺部に当接して支持される外周対応部６２よりも内周側の部位から下方に突出する嵌合凸部６３とを備えている。蓋部材３を組立状態にある容器本体２に被せた場合には、嵌合凸部６３は、組立状態にある容器本体２の内側に挿入されるとともに、起立位置にある側壁部８、９の内面と当接、又は、近接するように構成されている。本実施形態の蓋部材３は、発泡ポリプロピレンにより一体的に形成されている。
【００４１】
また、図６、図９に示すように、蓋部材３は、嵌合凸部６３の下面の各長側辺部に沿って下方に突出する下段係合凸部６４と、外周対応部６２のうち天板部６１の各長側辺部に沿って下方に突出する上段係合凸部６５とを備えている。下段係合凸部６４のうち蓋部材３の外周側の面は、嵌合凸部６３の外周面と面一となっている。さらに、上段係合凸部６５は、天板部６１の外周面よりも若干（長辺側土台部６の外面を構成する板状体の厚み程度の距離を）天板部６１の内周側にずれて配置されるとともに、嵌合凸部６３と連結されている。
【００４２】
これに対し、図４、図１０に示すように、折畳み状態とされた容器本体２の上面側には、寝かせ位置とされた長辺側側壁部８（長辺側側壁本体１４の長辺側下辺リブ２３）と、長辺側土台部６との間に第１の隙間６６が形成されている。さらに、上記のように、長辺側土台部６には、土台断熱収容部５３の上部において土台凹部５４が形成されている。
【００４３】
そして、図２、図８に示すように、蓋部材３を折り畳み状態にある容器本体２に被せた場合には、天板部６１の外周対応部６２の下面が、長辺側土台部６の上辺部に略当接するとともに、嵌合凸部６３の下面が、寝かせ位置にある一対の長辺側側壁部８のうち上方を向いている面と略当接し、蓋部材３が容器本体２に支持される。このとき、図８、図１１に示すように、上段係合凸部６５が、長辺側土台部６の土台凹部５４に挿入され、図８、図１２に示すように、下段係合凸部６４が、寝かせ位置とされた長辺側側壁部８と、長辺側土台部６との間の第１の隙間６６に挿入されるようになっている。尚、図１１では、嵌合凸部６３の図示を省略している。
【００４４】
特に、下段係合凸部６４は、複数の長辺側ヒンジ部２４間の隙間（図４参照）にまでも挿入されるようになっている。さらに、本実施形態の上段係合凸部６５、及び、下段係合凸部６４は、長辺側土台部６の土台凹部５４、及び、長辺側側壁部８と長辺側土台部６との間の第１の隙間６６に対応した形状とされ、蓋部材３を折り畳み状態にある容器本体２に被せた場合には、上段係合凸部６５、及び、下段係合凸部６４が、土台凹部５４、及び、第１の隙間６６に嵌入するようになっている。尚、本実施形態では、下段係合凸部６４、及び、上段係合凸部６５が、挿入凸部を構成する。
【００４５】
また、図６、図９に示すように、蓋部材３は、嵌合凸部６３の下面の各短側辺部の中央部から下方に突出する中間側挿入凸部６７を備えている。中間側挿入凸部６７のうち蓋部材３の外周側の面は、嵌合凸部６３の外周面と面一とされている。さらに、中間側挿入凸部６７は、中間側挿入凸部６７のうち蓋部材３の長側辺部側を向く各側面の下端部から側方に突出する中間側係止突起６８を備えている。
【００４６】
これに対し、図４、図１０に示すように、折畳み状態とされた容器本体２の上面側には、寝かせ位置とされた一対の長辺側側壁部８（長辺側上枠部２２）の間に第２の隙間６９が形成されている。そして、図８、図１２等に示すように、蓋部材３を折り畳み状態にある容器本体２に被せた場合には、中間側挿入凸部６７が第２の隙間６９に挿入されることとなる。
【００４７】
また、第２の隙間６９の幅（寝かせ位置にある一対の長辺側側壁部８間の距離）は、中間側挿入凸部６７の横幅とほぼ同じとなっており、第２の隙間６９に挿入された中間側挿入凸部６７は、寝かせ位置とされた一対の長辺側側壁部８の長辺側上枠部２２（長辺側上辺リブ２２ａ）と当接、又は、近接する（第２の隙間６９に嵌入する）ようになっている。
【００４８】
さらに、図８に示すように、第２の隙間６９に挿入された各中間側挿入凸部６７の下端部に設けられた一対の中間側係止突起６８が、寝かせ位置にある一対の長辺側側壁部８のうち下側を向いている面と上下に対向して、当接、又は、近接するようになっている。すなわち、本実施形態では、中間側係止突起６８が、長辺側上枠部２２の長辺側上辺リブ２２ａ（、及び、長辺側上枠補強リブ２２ｃ）のうち下側を向いている辺部に係止されるようになっている。
【００４９】
尚、図１４に示すように、本実施形態では、短辺側土台部７から上方に突出して設けられ、寝かせ位置とされた長辺側側壁部８の係合壁２８と当接して支持する側板支持部５８が、少なくとも一対の長辺側側壁部８の係合壁２８の上端部と当接して支持するように配置されている。このため、蓋部材３の嵌合凸部６３の短側辺部の中央部から、嵌合凸部６３の外周面と面一となる面を有するようにして設けられた中間側挿入凸部６７は、折畳み状態とされた容器本体２に蓋部材３を被せた状態において、（係合壁２８、ひいては、係合壁２８を支持する）側板支持部５８と近接配置されるような格好となる。
【００５０】
また、図６に示すように、蓋部材３は、上段係合凸部６５から外方に突出する外周側係止突起７０を備えている。図７に示すように、本実施形態では、組立状態にある容器本体２に対して蓋部材３を被せた場合には、上段係合凸部６５が、長辺側側壁部８の長辺側上枠部２２の長辺側上枠下段リブ２２ｂの上方、かつ、長辺側上辺リブ２２ａの内方に形成される側壁凹部７１に収容されるようになっている。さらに、外周側係止突起７０が、長辺側上枠部２２の長辺側上辺リブ２２ａと、長辺側上枠下段リブ２２ｂとの間の隙間に挿入されるようになっている。これにより、外周側係止突起７０が、長辺側上辺リブ２２ａの下面に係止されることとなる。本実施形態では、長辺側上枠部２２の長辺側上辺リブ２２ａと、長辺側上枠下段リブ２２ｂとの間の隙間（特に、長辺側上辺リブ２２ａの下面）が、被係止部を構成する。
【００５１】
加えて、図６に示すように、蓋部材３は、短側辺部側に関しても、嵌合凸部６３の外周面の下端部から外方に突出する外周短辺側係止突起７２を備えている。組立状態にある容器本体２に対して蓋部材３が被せられた状態では、外周短辺側係止突起７２は、短辺側側壁部９の短辺側上枠部４２の短辺側上辺リブ４２ａと、短辺側上枠下段リブ４２ｂとの間の隙間（図３参照）に挿入されるようになっている。これにより、外周短辺側係止突起７２が、短辺側上辺リブ４２ａの下面に係止されることとなる。
【００５２】
また、図１、図６に示すように、蓋部材３の天板部６１の下面には、短側辺部の中央部を含む範囲において、下方、及び、外方に開口する指掛け補助凹部７４が設けられている。すなわち、組立状態にある容器本体２に被せられた蓋部材３を取外す場合に、指掛け補助凹部７４を介して、蓋部材３（天板部６１の外周対応部６２）の下面側に指先を掛けて、蓋部材３を持ち上げることができるようになっている。
【００５３】
加えて、図１、図５等に示すように、蓋部材３の上面側には、外周対応部６２の反対面側の部位から上方に突出する段積み用外周突部７５が設けられている。また、蓋部材３の長側辺部に対応しては、段積み用外周突部７５は、反対面側に上段係合凸部６５の設けられていない範囲に設けられている。さらに、蓋部材３の上面側には、中間側挿入凸部６７の反対面側の部位において段積み用収容凹部７６が設けられている。
【００５４】
組立状態、又は、折畳み状態にある容器本体２に対して蓋部材３を被せた状態の蓋付き折畳み容器１同士を上下に積み重ねる（段積みする）場合には、上側の蓋付き折畳み容器１の容器本体２の底壁構成部４の内周支持部５７が、下側の蓋付き折畳み容器１の蓋部材３の段積み用外周突部７５の内周側に配置され（略嵌合し）、上側の蓋付き折畳み容器１の容器本体２の底壁構成部４の下面（内周支持部５７の下面、及び、外周対応部６２）が、下側の蓋付き折畳み容器１の蓋部材３の上面（天板部６１、及び、段積み用外周突部７５の上面）に当接して支持されるようになっている。
【００５５】
また、蓋部材３同士を上下に積み重ねる場合には、上側の蓋部材３の嵌合凸部６３が、下側の蓋部材３の段積み用外周突部７５の内周側に配置され（略嵌合し）、上側の蓋部材３の中間側挿入凸部６７が、下側の蓋部材３の段積み用収容凹部７６に収容され、上側の蓋部材３の下面側の部位が、下側の蓋部材３の上面側の部位に当接して支持されるようになっている。
【００５６】
以上詳述したように、本実施形態によれば、容器本体２に被せられる蓋部材３には、折畳み状態にある容器本体２に被せられた場合に、長辺側土台部６の上面側に形成された土台凹部５４に挿入（嵌入）される上段係合凸部６５と、寝かせ位置とされた長辺側側壁部８と、長辺側土台部６との間に形成された第１の隙間６６に挿入（嵌入）される下段係合凸部６５とが設けられている。このため、折畳み状態にある容器本体２に被せられた蓋部材３が、容器本体２に対して水平方向に相対変位し、容器本体２から脱落してしまうといった事態を防止することができる。従って、蓋部材３を折畳み状態にある容器本体２に被せた状態の安定化を図ることができ、折畳み状態にある容器本体２に蓋部材３を被せた状態の蓋付き折畳み容器１同士を安定して段積みすることができる。結果として、物品を収容していない状態にある蓋付き折畳み容器１の運搬・保管効率の向上を図ることができるとともに、容器本体２と、蓋部材３とをセットで運搬、及び、保管することができることから、利便性の向上等を図ることができる。特に、長辺側土台部６との間の蓋部材３の位置ずれが効果的に防止されることから、折畳み状態にある容器本体２に対する蓋部材３の被覆状態を安定化させるといった作用効果がより一層奏される。
【００５７】
さらに、本実施形態の下段係合凸部６４は、寝かせ位置にある長辺側側壁部８の複数の長辺側ヒンジ部２４間の隙間にまで挿入されるようになっている。また、上段係合凸部６５については、長辺側土台部６の延在方向において、長辺側軸受部１０と、土台断熱収容部５３との間の仕切りとなる壁部で区画された土台凹部５４に挿入されている。このため、長辺側側壁部８の横幅方向（長辺側土台部６の延在方向）における蓋部材３の位置ずれをより確実に防止することができる。尚、本実施形態の蓋部材３は、発泡ポリプロピレンにより構成され、比較的軽量であるものの、上段係合凸部６５、及び、下段係合凸部６４が設けられていることにより、蓋部材３が風等によって飛ばされてしまう等の事態を防止することができる。
【００５８】
また、蓋部材３には、折畳み状態にある容器本体２に被せられた場合に、寝かせ位置にある一対の長辺側側壁部８の間に形成された第２の隙間６９に挿入（嵌入）される中間側挿入凸部６７が設けられている。このため、折畳み状態にある容器本体２に被せられた蓋部材３が、容器本体２に対して水平方向に相対変位し、容器本体２から脱落してしまうといった事態をより確実に防止することができる。特に、寝かせ位置とされた一対の長辺側側壁部８の間、すなわち、一対の長辺側土台部６の中間位置において、蓋部材３の位置ずれが防止されることとなる。従って、上記の上段係合凸部６５、及び、下段係合凸部６４の位置決め効果と相俟って、折畳み状態にある容器本体２に対する蓋部材３の被覆状態を安定化させるといった作用効果を飛躍的に向上させることができる。
【００５９】
また、中間側挿入凸部６７は、蓋部材３が折畳み状態にある容器本体２に被せられた場合に、寝かせ位置にある一対の長辺側側壁部８の下側を向いている面と上下に対向して、当接、又は、近接する中間側係止突起６８を備えている。このため、中間側挿入凸部６７の中間側係止突起６８が、寝かせ位置にある長辺側側壁部８の下側を向いている面（長辺側上辺リブ２２ａの長辺側ベース板２１からの突出方向先端部）に略係止状態とされることから、中間側挿入凸部６７が寝かせ位置にある一対の長辺側側壁部８の間（第２の隙間６９）から不用意に抜け出してしまうことを抑止することができる。従って、蓋部材３が折畳み状態にある容器本体２から脱落してしまうことをより確実に抑止することができる。
【００６０】
さらに、折畳み状態にある容器本体２に被せられた蓋部材３の中間側係止突起６８は、寝かせ位置とされた長辺側側壁部８の係合壁２８、ひいては、当該係合壁２８を支持する側板支持部５８に近接配置されている。つまり、寝かせ位置にある一対の長辺側側壁部８は、短辺側土台部７から上方に突出する側板支持部５８に当接して支持されることから、寝かせ位置にある長辺側側壁部８のうち、側板支持部５８に支持されている係合壁２８の近傍部位は、係合壁２８から離れた部位（長辺側側壁部８の横幅方向中央部）に比べ、下方に押圧された場合に撓み難くなっている。この点、本実施形態によれば、折畳み状態にある容器本体２に被せられた蓋部材３の中間側挿入凸部６７が、容器本体２の側板支持部５８に近接配置されることから、中間側挿入凸部６７を寝かせ位置にある一対の長辺側側壁部８の間の第２の隙間６９に挿入させる際に、例えば、中間側挿入凸部６７が、寝かせ位置にある長辺側側壁部８の上方を向いている面に接触したり、一対の長辺側側壁部８のうち互いに対向している面（長辺側上辺リブ２２ａの上辺部）に摺接したりしても、長辺側側壁部８が下方に逃げるような変形はほぼなく、中間側挿入凸部６７を比較的スムースに挿入することができる。さらに、寝かせ位置にある長辺側側壁部８が蓋部材３の中間側挿入凸部６７に押圧されることで変形してしまい、これに起因して長辺側側壁部８が損傷してしまうといった事態を抑止することができる。
【００６１】
尚、中間側挿入凸部のうち蓋部材３の外周側の面は、組立状態にある容器本体２に蓋部材３を被せた場合に容器本体２の内側に嵌入する嵌合凸部６３の外周面と面一とされている。このため、組立状態にある容器本体２に蓋部材３を被せた状態において、中間側挿入凸部６７が設けられた部位に関しては、嵌合凸部６３が下方に延長されたような格好で、短辺側側壁部９の内面と接触する上下幅（掛かり代）をより長く確保することができる。従って、組立状態にある容器本体２に被せられた蓋部材３の不用意な脱落をより確実に防止することができる。さらに、中間側挿入凸部６７が設けられた位置は、蓋部材３の天板部６１の下面に設けられた指掛け補助凹部７４の形成範囲に対応している。このため、組立状態にある容器本体２に被せられた蓋部材３のうち比較的浮き上がり易い部位において蓋部材３の脱落を効果的に抑止することができる。
【００６２】
また、蓋部材３は、上段係合凸部６５から蓋部材３の外周側に突出する外周側係止突起７０を備え、組立状態にある容器本体２に蓋部材３を被せた場合に、外周側係止突起７０が、長辺側側壁部８の長辺側上枠部２２の長辺側上辺リブ２２ａと、長辺側上枠下段リブ２２ｂとの間に挿入されるようになっている。このため、蓋部材３の外周側係止突起７０が、組立状態にある容器本体２の長辺側上辺リブ２２ａの下面に略係止状態とされることから、蓋部材３が組立状態にある容器本体２から不用意に脱落してしまうことをより確実に防止することができる。
【００６３】
尚、上記実施形態の記載内容に限定されず、例えば次のように実施してもよい。勿論、以下において例示しない他の応用例、変更例も当然可能である。
【００６４】
（ａ）上記実施形態の蓋部材３は、折畳み状態にある容器本体２の長辺側土台部６、又は、その近傍部位との間の位置決めを行う構成として、上段係合凸部６５、及び、下段係合凸部６４が設けられているが、少なくとも一方が設けられていればよい。
【００６５】
また、上記実施形態において、中間側挿入凸部６７の配置や形状等は特に限定されるものではなく、寝かせ位置とされた一対の長辺側側壁部８の間の第２の隙間６９に挿入されるように構成されていればよい。
【００６６】
さらに、上記実施形態では、折畳み状態にある容器本体２に蓋部材３を被せた状態において、上段係合凸部６５、下段係合凸部６４、及び、中間側挿入凸部６７が、土台凹部５４、第１の隙間６６、及び、第２の隙間６９に嵌入されるように構成されているが、上段係合凸部６５、下段係合凸部６４、及び、中間側挿入凸部６７と、土台凹部５４、第１の隙間６６、及び、第２の隙間６９を画定する部位との間が離間していてもよい。
【００６７】
尚、上段係合凸部６５から外方に突出する外周側係止突起７０、及び、嵌合凸部６３の外周面の短側辺部に対応する部位から外方に突出する外周短辺側係止突起７２の数や配置等は特に限定されるものではなく、適宜変更可能であって、省略することも可能である。また、中間側挿入凸部６７の中間側係止突起６８を省略したり、中間側挿入凸部６７を省略したりすることも可能である。
【００６８】
（ｂ）上記実施形態では、長辺側土台部６が短辺側土台部７よりも高く構成され、組立状態にある容器本体２を折畳み状態とする際に、一対の短辺側側壁部９を寝かせ位置へと変位させることで、長辺側側壁部８を寝かせ位置へと変位可能に構成されているが、短辺側土台部７が長辺側土台部６よりも高く構成され、組立状態にある容器本体２を折畳み状態とする際に、一対の長辺側側壁部８を寝かせ位置へと変位させることで、短辺側側壁部９を寝かせ位置へと変位可能な構成としてもよい。また、上記実施形態では、容器本体２の折畳み状態において、短辺側側壁部９同士が上下に重なったり、長辺側側壁部８同士が上下に重なったりすることのないように構成されているが、重なるように構成してもよい。
【００６９】
（ｃ）上記実施形態では、短辺側土台部７から上方に突出する側板支持部５８が設けられ、寝かせ位置とされた短辺側側壁部９と、寝かせ位置とされた長辺側側壁部８とが上下に離間しているが、側板支持部５８を省略することとしてもよい。この場合、寝かせ位置とされた長辺側側壁部８は、短辺側土台部７の上面側に当接して支持される構成としてもよいし、寝かせ位置とされた短辺側側壁部９に当接して支持される構成としてもよい。
【００７０】
（ｄ）上記実施形態の容器本体２は、非発泡材により構成される底壁本体１２、長辺側側壁本体１４、及び、短辺側側壁本体１６と、発泡材により構成される底壁断熱部材１３、長辺側側壁断熱部材１５、及び、短辺側側壁断熱部材１７とを備えているが、容器本体２の全体を非発泡材により構成したり、容器本体２の全体を発泡材により構成したりすることも可能である。
【００７１】
また、蓋部材３についても、一部、又は、全体を非発泡材により構成することも可能である。例えば、蓋部材は、非発泡のポリプロピレンにより構成される平面視略矩形状の蓋本体と、発泡ポリプロピレンにより構成され、蓋本体の下面側に装着される蓋断熱部材とを備え、蓋部材を折畳み状態にある容器本体２に被せた場合に、蓋断熱部材の下面側に設けられた挿入凸部が、長辺側土台部６の上面側に設けられた凹部や、寝かせ位置とされた長辺側側壁部８と、長辺側土台部６との間の隙間に挿入されるように構成してもよい。
【００７２】
さらに、上記実施形態では、蓋付き折畳み容器１は、ポリプロピレンにより構成されているが、ポリエチレン、ＰＥＴ、ポリアミド等その他の樹脂材料により構成されることとしてもよい。また、側壁断熱部材１５，１７、及び、底壁断熱部材１３を発泡ポリエチレン、発泡ポリスチレン、発泡ポリウレタン等その他の発泡樹脂材料により構成することも可能である。
【符号の説明】
【００７３】
１…蓋付き折畳み容器、２…容器本体、３…蓋部材、４…底壁構成部、５…底壁部、６…長辺側土台部、７…短辺側土台部、８…長辺側側壁部、９…短辺側側壁部、１０…長辺側軸受部、１１…短辺側軸受部、２１…長辺側ベース板、２２…長辺側上枠部、２２ａ…長辺側上辺リブ、２２ｂ…長辺側上枠下段リブ、２３…長辺側下辺リブ、２４…長辺側ヒンジ部、５４…土台凹部、５８…側板支持部、６１…天板部、６２…外周対応部、６３…嵌合凸部、６４…下段係合凸部、６５…上段係合凸部、６６…第１の隙間、６７…中間側挿入凸部、６８…中間側係止突起、６９…第２の隙間、７０…外周係止突起。
【図１】
2019189302.tif 000003
【図２】
2019189302.tif 000004
【図３】
2019189302.tif 000005
【図４】
2019189302.tif 000006
【図５】
2019189302.tif 000007
【図６】
2019189302.tif 000008
【図７】
2019189302.tif 000009
【図８】
2019189302.tif 000010
【図９】
2019189302.tif 000011
【図１０】
2019189302.tif 000012
【図１１】
2019189302.tif 000013
【図１２】
2019189302.tif 000014
【図１３】
2019189302.tif 000015
【図１４】
2019189302.tif 000016